【手続補正書】
【提出日】平成18年4月18日(2006.4.18)
【手続補正１】
【補正対象書類名】明細書
【補正対象項目名】発明の名称
【補正方法】変更
【補正の内容】
【発明の名称】対応関係定義データ作成用格子点決定方法、対応関係定義データ作成用格子点決定装置、対応関係定義データ作成用格子点決定プログラム、印刷制御装置、印刷制御方法、印刷制御プログラムおよび画像データ処理装置
【手続補正２】
【補正対象書類名】明細書
【補正対象項目名】特許請求の範囲
【補正方法】変更
【補正の内容】
【特許請求の範囲】
【請求項１】
印刷装置で使用する各色のインク量と他の表色系における色成分値との対応関係を規定した対応関係定義データを作成するにあたり参照される複数の格子点を決定する対応関係定義データ作成用格子点決定方法であって、
上記各色のインク数より少ない色成分で規定される低次元色空間内における低次元色格子点と上記各色のインク量を成分としたインク量空間内におけるインク量格子点との対応関係を予め規定した第１対応関係定義データを参照して上記低次元色格子点と機器非依存色空間内の格子点との対応関係を取得し、上記低次元色空間の格子点位置情報を変数として上記機器非依存色空間内の格子点の配置の平滑程度を評価する関数であって、当該評価対象の格子点が属する色域の部位毎に異なる関数形であるとともに、当該色域の部位の境界に近い格子点であるほどその移動によって評価値が大きく低下する束縛条件を含む平滑程度評価関数を規定し、当該低次元色空間の格子点位置情報を変動させながら上記平滑程度評価関数の評価を向上させることによって上記機器非依存色空間内の格子点配置を最適化し、上記第１対応関係定義データを参照して当該最適化された状態での上記低次元色空間内の格子点に対応した上記各色のインク量と上記第１対応関係定義データに規定された低次元色空間内の格子点とを対応づけることによって上記対応関係定義データ作成用格子点を決定することを特徴とする対応関係定義データ作成用格子点決定方法。
【請求項２】
上記平滑程度評価関数は、上記変動前の低次元色空間の格子点位置情報と変動後の低次元色空間の格子点位置情報との差の大きさを示す式に上記低次元色空間の色成分値の中点から離れるほど値の大きくなる重み係数を乗じて得られる項を含む関数であることを特徴とする上記請求項１に記載の対応関係定義データ作成用格子点決定方法。
【請求項３】
上記重み係数の低次元色空間の色成分値に対する増大率は、低次元色空間の色成分値がその中点から離れるほど大きくなることを特徴とする上記請求項２に記載の対応関係定義データ作成用格子点決定方法。
【請求項４】
印刷装置で使用する各色のインク量と他の表色系における色成分値との対応関係を規定した対応関係定義データを作成するにあたり参照される複数の格子点を決定する対応関係定義データ作成用格子点決定装置であって、
上記各色のインク数より少ない色成分で規定される低次元色空間内における低次元色格子点と上記各色のインク量を成分としたインク量空間内におけるインク量格子点との対応関係を予め規定した第１対応関係定義データを記録する第１対応関係定義データ記録手段と、
同第１対応関係定義データを参照して上記低次元色格子点と機器非依存色空間内の格子点との対応関係を取得する対応関係取得手段と、
上記低次元色空間の格子点位置情報を変数として上記機器非依存色空間内の格子点の配置の平滑程度を評価する関数であって、当該評価対象の格子点が属する色域の部位毎に異なる関数形であるとともに、当該色域の部位の境界に近い格子点であるほどその移動によって評価値が大きく低下する束縛条件を含む平滑程度評価関数を規定する平滑程度評価関数算出手段と、
当該低次元色空間の格子点位置情報を変動させながら上記平滑程度評価関数の評価を向上させることによって上記機器非依存色空間内の格子点配置を最適化する最適化手段と、
上記第１対応関係定義データを参照して当該最適化された状態での上記低次元色空間内の格子点に対応した上記各色のインク量と上記第１対応関係定義データに規定された低次元色空間内の格子点とを対応づけることによって上記対応関係定義データ作成用格子点を決定する対応関係定義データ作成用格子点決定手段とを具備することを特徴とする対応関係定義データ作成用格子点決定装置。
【請求項５】
印刷プログラムで使用する各色のインク量と他の表色系における色成分値との対応関係を規定した対応関係定義データを作成するにあたり参照される複数の格子点を決定する対応関係定義データ作成用格子点決定プログラムであって、
上記各色のインク数より少ない色成分で規定される低次元色空間内における低次元色格子点と上記各色のインク量を成分としたインク量空間内におけるインク量格子点との対応関係を予め規定した第１対応関係定義データを所定の記録媒体に記録しておき、同第１対応関係定義データを参照して上記低次元色格子点と機器非依存色空間内の格子点との対応関係を取得する対応関係取得機能と、
上記低次元色空間の格子点位置情報を変数として上記機器非依存色空間内の格子点の配置の平滑程度を評価する関数であって、当該評価対象の格子点が属する色域の部位毎に異なる関数形であるとともに、当該色域の部位の境界に近い格子点であるほどその移動によって評価値が大きく低下する束縛条件を含む平滑程度評価関数を規定する平滑程度評価関数算出機能と、
当該低次元色空間の格子点位置情報を変動させながら上記平滑程度評価関数の評価を向上させることによって上記機器非依存色空間内の格子点配置を最適化する最適化機能と、
上記第１対応関係定義データを参照して当該最適化された状態での上記低次元色空間内の格子点に対応した上記各色のインク量と上記第１対応関係定義データに規定された低次元色空間内の格子点とを対応づけることによって上記対応関係定義データ作成用格子点を決定する対応関係定義データ作成用格子点決定機能とをコンピュータに実現させることを特徴とする対応関係定義データ作成用格子点決定プログラム。
【請求項６】
印刷装置で使用する各色のインク量と他の表色系における色成分値との対応関係を規定した対応関係定義データを参照して、上記他の表色系における色成分値を上記インク量に変換して印刷を実行させるための印刷データを生成する印刷制御装置であって、
上記対応関係定義データは、上記各色のインク数より少ない色成分で規定される低次元色空間内における低次元色格子点と上記各色のインク量を成分としたインク量空間内におけるインク量格子点との対応関係を予め規定した第１対応関係定義データを参照して上記低次元色格子点と機器非依存色空間内の格子点との対応関係を取得し、上記低次元色空間の格子点位置情報を変数として上記機器非依存色空間内の格子点の配置の平滑程度を評価する関数であって、当該評価対象の格子点が属する色域の部位毎に異なる関数形であるとともに、当該色域の部位の境界に近い格子点であるほどその移動によって評価値が大きく低下する束縛条件を含む平滑程度評価関数を規定し、当該低次元色空間の格子点位置情報を変動させながら上記平滑程度評価関数の評価を向上させることによって上記機器非依存色空間内の格子点配置を最適化し、上記第１対応関係定義データを参照して当該最適化された状態での上記低次元色空間内の格子点に対応した上記各色のインク量と上記第１対応関係定義データに規定された低次元色空間内の格子点とを対応づけることによって上記対応関係定義データ作成用格子点とし、当該対応関係定義データ作成用格子点にて規定されるインク量での印刷結果を所定の測色機によって測色した測色値によって上記インク量と上記他の表色系における色成分値とを対応づけることで作成されるデータであることを特徴とする印刷制御装置。
【請求項７】
印刷装置で使用する各色のインク量と他の表色系における色成分値との対応関係を規定した対応関係定義データを参照して、上記他の表色系における色成分値を上記インク量に変換して印刷を実行させるための印刷データを生成する印刷制御方法であって、
上記対応関係定義データは、上記各色のインク数より少ない色成分で規定される低次元色空間内における低次元色格子点と上記各色のインク量を成分としたインク量空間内におけるインク量格子点との対応関係を予め規定した第１対応関係定義データを参照して上記低次元色格子点と機器非依存色空間内の格子点との対応関係を取得し、上記低次元色空間の格子点位置情報を変数として上記機器非依存色空間内の格子点の配置の平滑程度を評価する関数であって、当該評価対象の格子点が属する色域の部位毎に異なる関数形であるとともに、当該色域の部位の境界に近い格子点であるほどその移動によって評価値が大きく低下する束縛条件を含む平滑程度評価関数を規定し、当該低次元色空間の格子点位置情報を変動させながら上記平滑程度評価関数の評価を向上させることによって上記機器非依存色空間内の格子点配置を最適化し、上記第１対応関係定義データを参照して当該最適化された状態での上記低次元色空間内の格子点に対応した上記各色のインク量と上記第１対応関係定義データに規定された低次元色空間内の格子点とを対応づけることによって上記対応関係定義データ作成用格子点とし、当該対応関係定義データ作成用格子点にて規定されるインク量での印刷結果を所定の測色機によって測色した測色値によって上記インク量と上記他の表色系における色成分値とを対応づけることで作成されるデータであることを特徴とする印刷制御方法。
【請求項８】
印刷装置で使用する各色のインク量と他の表色系における色成分値との対応関係を規定した対応関係定義データを参照して、上記他の表色系における色成分値を上記インク量に変換して印刷を実行させるための印刷データを生成する機能をコンピュータに実現させる印刷制御プログラムであって、
上記対応関係定義データは、上記各色のインク数より少ない色成分で規定される低次元色空間内における低次元色格子点と上記各色のインク量を成分としたインク量空間内におけるインク量格子点との対応関係を予め規定した第１対応関係定義データを参照して上記低次元色格子点と機器非依存色空間内の格子点との対応関係を取得し、上記低次元色空間の格子点位置情報を変数として上記機器非依存色空間内の格子点の配置の平滑程度を評価する関数であって、当該評価対象の格子点が属する色域の部位毎に異なる関数形であるとともに、当該色域の部位の境界に近い格子点であるほどその移動によって評価値が大きく低下する束縛条件を含む平滑程度評価関数を規定し、当該低次元色空間の格子点位置情報を変動させながら上記平滑程度評価関数の評価を向上させることによって上記機器非依存色空間内の格子点配置を最適化し、上記第１対応関係定義データを参照して当該最適化された状態での上記低次元色空間内の格子点に対応した上記各色のインク量と上記第１対応関係定義データに規定された低次元色空間内の格子点とを対応づけることによって上記対応関係定義データ作成用格子点とし、当該対応関係定義データ作成用格子点にて規定されるインク量での印刷結果を所定の測色機によって測色した測色値によって上記インク量と上記他の表色系における色成分値とを対応づけることで作成されるデータであることを特徴とする印刷制御プログラム。
【請求項９】
印刷装置で使用する各色のインク量と他の表色系における色成分値との対応関係を規定した対応関係定義データを作成するにあたり参照される複数の格子点を決定する対応関係定義データ作成用格子点決定方法であって、
上記各色のインク数より少ない色成分で規定される低次元色空間内における低次元色格子点と上記各色のインク量を成分としたインク量空間内におけるインク量格子点との対応関係を予め規定した第１対応関係定義データを参照して上記低次元色格子点と機器非依存色空間内の格子点との対応関係を取得し、当該機器非依存色空間内の格子点の配置の平滑程度を評価する関数であって上記低次元色空間の格子点位置情報を変数とした平滑程度評価関数を規定し、当該低次元色空間の格子点位置情報を変動させながら上記平滑程度評価関数の評価を向上させることによって上記機器非依存色空間内の格子点配置を最適化し、上記第１対応関係定義データを参照して当該最適化された状態での上記低次元色空間内の格子点に対応した上記各色のインク量と上記第１対応関係定義データに規定された低次元色空間内の格子点とを対応づけることによって上記対応関係定義データ作成用格子点を決定することを特徴とする対応関係定義データ作成用格子点決定方法。
【請求項１０】
印刷装置で使用する各色のインク量と他の表色系における色成分値との対応関係を規定した対応関係定義データを作成するにあたり参照される複数の格子点を決定する対応関係定義データ作成用格子点決定方法であって、
上記各色のインク数より少ない色成分で規定される低次元色空間内における低次元色格子点と上記各色のインク量を成分としたインク量空間内におけるインク量格子点との対応関係を予め規定した第１対応関係定義データを参照して上記低次元色格子点と機器非依存色空間内の格子点との対応関係を取得し、当該機器非依存色空間内の格子点の配置の平滑程度を評価するとともに機器非依存色空間内の所定の位置では格子点の配置が不均等となる束縛条件を含む関数であって上記低次元色空間の格子点位置情報を変数とした平滑程度評価関数を規定し、当該低次元色空間の格子点位置情報を変動させながら上記平滑程度評価関数の評価を向上させることによって上記機器非依存色空間内の格子点配置を最適化し、上記第１対応関係定義データを参照して当該最適化された状態での上記低次元色空間内の格子点に対応した上記各色のインク量と上記第１対応関係定義データに規定された低次元色空間内の格子点とを対応づけることによって上記対応関係定義データ作成用格子点を決定することを特徴とする対応関係定義データ作成用格子点決定方法。
【請求項１１】
上記請求項１〜請求項３と請求項９と請求項１０とのいずれかに記載した対応関係定義データ作成用格子点決定方法によって決定された対応関係定義データ作成用格子点に基づいて規定された色補正ルックアップテーブルを参照して、上記他の表色系における色成分値を上記インク量に変換することを特徴とする画像データ処理装置。
【手続補正３】
【補正対象書類名】明細書
【補正対象項目名】０００１
【補正方法】変更
【補正の内容】
【０００１】
【発明の属する技術分野】
本発明は、対応関係定義データ作成用格子点決定方法、対応関係定義データ作成用格子点決定装置、対応関係定義データ作成用格子点決定プログラム、印刷制御装置、印刷制御方法、印刷制御プログラムおよび画像データ処理装置に関する。
【手続補正４】
【補正対象書類名】明細書
【補正対象項目名】０００６
【補正方法】変更
【補正の内容】
【０００６】
【発明が解決しようとする課題】
上述した従来の格子点決定方法では、格子点を平滑化する際の移動の自由度が制限され、使用するインク色によっては充分に平滑化できない場合があり、色域全体として局所的に平滑程度が悪化しないようにしつつ充分に平滑化できる格子点決定方法が望まれていた。すなわち、上記従来技術ではＣＭＹ格子点平滑程度評価関数とインク量格子点平滑程度評価関数とを規定し、分版時の規則を満たすようにしながら各関数を個別に平滑化することによって格子点配置を平滑化していたので、格子点を移動する際には分版の規則を満たすよう格子点を移動する必要があり、充分に平滑化できないことがあった。特にＲインクやＶ（バイオレット）インクを使用したときに充分に平滑化できない場合があった。
本発明は、上記課題にかんがみてなされたもので、高い自由度で格子点配置を移動して平滑化を行いつつ色域全体として充分に平滑化することが可能な対応関係定義データ作成用格子点決定方法、対応関係定義データ作成用格子点決定装置、対応関係定義データ作成用格子点決定プログラム、印刷制御装置、印刷制御方法、印刷制御プログラムおよび画像データ処理装置の提供を目的とする。